(57)【要約】【課題】患者が外出禁止の場合に、病室から外出する際に廊下灯表示により外出禁止である旨を患者自身に知らせることができるナースコールシステムを提供する。【解決手段】プレート子機及びナースコール子機と、被介護者のＩＤ情報が記憶された発信機と、発信機からのＩＤ情報を受信して警報発報するための廊下灯と、ナースコール親機と、ナースコール子機、廊下灯及びナースコール親機をそれぞれ制御するための制御機とを備え、制御機には、予め登録された被介護者の外出禁止情報が記憶される外出禁止警報情報記憶部と、外出禁止警報情報記憶部から読み出される外出禁止情報と廊下灯にて受信されたＩＤ情報とを照合するための制御機ＣＰＵとを備え、廊下灯には、制御機の制御機ＣＰＵにて生成される外出禁止情報及びＩＤ情報の一致信号を検出して、廊下灯表示／報知部にて警報発報を行うための廊下灯ＣＰＵを備える。【選択図】図１
2008183355.tif 000002
【特許請求の範囲】
【請求項１】
被介護者が看護者を呼び出して通話を成立させるためのプレート子機（５、５、・・・）及びナースコール子機（６、６、・・・）と、前記被介護者により携行され当該被介護者のＩＤ情報が記憶された発信機（７）と、前記被介護者からの呼び出しが表示／報知され、前記発信機より送信されるＩＤ情報を受信して警報発報するための廊下灯表示／報知部（４５、４４）を有する廊下灯（４、４、・・・）と、前記被介護者からの呼び出しが表示／報知される親機表示／報知部（１２、１４）を有し、前記呼び出しに前記看護者が応答して通話を成立させるためのナースコール親機（１）と、前記ナースコール子機、前記廊下灯及び前記ナースコール親機をそれぞれ制御するための制御機（３）とを備え、
前記制御機には、予め登録された前記被介護者の外出禁止情報が記憶される外出禁止警報情報記憶部（３３）と、前記外出禁止警報情報記憶部から読み出される外出禁止情報と前記廊下灯にて受信されたＩＤ情報とを照合するための制御機ＣＰＵ（３０）とを備え、
前記廊下灯には、前記制御機の制御機ＣＰＵにて生成される前記外出禁止情報及びＩＤ情報の一致信号を検出して、前記廊下灯表示／報知部にて前記警報発報を行うための廊下灯ＣＰＵ（４０）を備えたことを特徴とするナースコールシステム。
【請求項２】
前記外出禁止情報は、外出禁止時間帯情報記憶部（３４）に記憶された前記被介護者の外出禁止時間帯情報を含むことを特徴とする請求項１記載のナースコールシステム。
【請求項３】
前記制御機には、前記被介護者の外出禁止呼出遅延時間情報が記憶された外出禁止呼出遅延時間情報記憶部（３５）と、前記外出禁止呼出遅延時間情報記憶部から読み出される外出禁止呼出遅延時間情報と前記廊下灯にて受信されたＩＤ情報とを照合するための制御機ＣＰＵ（３０）とを備え、
前記ナースコール親機には、前記制御機の制御機ＣＰＵにて生成される前記外出禁止呼出遅延時間情報及びＩＤ情報の一致信号を検出して、前記親機表示／報知部にて警報表示／発報を行うための親機ＣＰＵ（１０）を備えたことを特徴とする請求項２記載のナースコールシステム。
【請求項４】
前記ナースコール親機には、前記外出禁止時間帯情報を設定するための親機操作部（１３）と、前記親機操作部で設定され、前記制御機の外出禁止時間帯情報記憶部に記憶された外出禁止時間帯情報を前記親機操作部の操作時に確認するとともに、前記警報発報の報知時に表示するための親機表示部（１２）とを備えたことを特徴とする請求項２又は請求項３記載のナースコールシステム。
【請求項５】
前記ナースコール親機には、前記外出禁止遅延時間情報を設定するための親機操作部（１３）と、前記親機操作部で設定され、前記制御機の外出禁止遅延時間情報記憶部に記憶された外出禁止遅延時間情報を前記親機操作部の操作時に確認するとともに、前記警報発報の報知時に表示するための親機表示部（１２）とを備えたことを特徴とする請求項３又は請求項４記載のナースコールシステム。
【発明の詳細な説明】
【技術分野】
【０００１】
本発明は、ナースコールシステムに係り、特に病室内の患者が外出禁止設定時に外出してはいけない旨を廊下灯表示により患者に知らせることができるナースコールシステムに関する。
【背景技術】
【０００２】
従来から、ナースセンターにあるナースコール親機や、看護師が携帯するＰＨＳ（Personal Handyphone System）のような携帯端末（ハンディーナース）に対して呼び出しを行なうナースコールシステムが知られている（例えば、特許文献１参照）。
【０００３】
特許文献１に記載のナースコールシステムは、ＩＣタグを外出禁止の患者に装着させ、患者が廊下灯や出入口ユニットに接近した時にＩＣタグの内容を読むことができるようにし、外出禁止の患者と判明した時にはその情報をナースコール制御機に送り、ナースコール制御機では患者が病室または予め設定されたエリア外に出たことを判断すると、ナースコール親機と出入口ユニットへその患者情報を送るようにしたり、ナースコール親機で患者がエリア外を歩いていることを看護師に予告するものである。
【０００４】
【特許文献１】特開２００６−２７１８１９号公報
【発明の開示】
【発明が解決しようとする課題】
【０００５】
しかしながら、上記したような従来のナースコールシステムでは、患者が外出禁止にもかかわらず病室から外出する際、ナースセンターにあるナースコール親機や、看護師が携帯するハンディーナースに対して呼び出しを行うために看護師の作業量を増やしてしまう難点があった。
【０００６】
本発明は、この難点を解決するためになされたもので、患者が外出禁止の場合に、病室から外出する際に廊下灯表示により外出禁止である旨を患者自身に知らせることができるナースコールシステムを提供することを目的とする。
【課題を解決するための手段】
【０００７】
この目的を達成するために本発明によるナースコールシステムの第１の形態は、被介護者が看護者を呼び出して通話を成立させるためのプレート子機及びナースコール子機と、被介護者により携行され当該被介護者のＩＤ情報が記憶された発信機と、被介護者からの呼び出しが表示／報知され、発信機より送信されるＩＤ情報を受信して警報発報するための廊下灯表示／報知部を有する廊下灯と、被介護者からの呼び出しが表示／報知される親機表示／報知部を有し、呼び出しに看護者が応答して通話を成立させるためのナースコール親機と、ナースコール子機、廊下灯及びナースコール親機をそれぞれ制御するための制御機とを備え、制御機には、予め登録された被介護者の外出禁止情報が記憶される外出禁止警報情報記憶部と、外出禁止警報情報記憶部から読み出される外出禁止情報と廊下灯にて受信されたＩＤ情報とを照合するための制御機ＣＰＵとを備え、廊下灯には、制御機の制御機ＣＰＵにて生成される外出禁止情報及びＩＤ情報の一致信号を検出して、廊下灯表示／報知部にて警報発報を行うための廊下灯ＣＰＵを備えたことを特徴とする。
【０００８】
また本発明によるナースコールシステムの第２の形態は、第１の形態において、外出禁止情報は、外出禁止時間帯情報記憶部に記憶された被介護者の外出禁止時間帯情報を含むことを特徴とする。
【０００９】
さらに本発明によるナースコールシステムの第３の形態は、第２の形態において、制御機には、被介護者の外出禁止呼出遅延時間情報が記憶された外出禁止呼出遅延時間情報記憶部と、外出禁止呼出遅延時間情報記憶部から読み出される外出禁止呼出遅延時間情報と廊下灯にて受信されたＩＤ情報とを照合するための制御機ＣＰＵとを備え、ナースコール親機には、制御機の制御機ＣＰＵにて生成される外出禁止呼出遅延時間情報及びＩＤ情報の一致信号を検出して、親機表示／報知部にて警報表示／発報を行うための親機ＣＰＵを備えたことを特徴とする。
【００１０】
また本発明によるナースコールシステムの第４の形態は、第２の形態又は第３の形態において、ナースコール親機には、外出禁止時間帯情報を設定するための親機操作部と、親機操作部で設定され、制御機の外出禁止時間帯情報記憶部に記憶された外出禁止時間帯情報を親機操作部の操作時に確認するとともに、警報発報の報知時に表示するための親機表示部とを備えたことを特徴とする。
【００１１】
さらに本発明によるナースコールシステムの第５の形態は、第３の形態又は第４の形態において、ナースコール親機には、外出禁止遅延時間情報を設定するための親機操作部と、親機操作部で設定され、制御機の外出禁止遅延時間情報記憶部に記憶された外出禁止遅延時間情報を親機操作部の操作時に確認するとともに、警報発報の報知時に表示するための親機表示部とを備えたことを特徴とする。
【発明の効果】
【００１２】
本発明のナースコールシステムの第１の形態では、被介護者に携行される発信機によりＩＤ情報を廊下灯にて受信し、当該被介護者が外出禁止の場合にはその旨を警報発報することができるので、従来のように外出禁止の被介護者が外出したことをナースコール親機に通報するのではなく、被介護者自身にも認識させることができるので効率のよい看護業務が可能となる。
【００１３】
また本発明のナースコールシステムの第２の形態では、単なる外出禁止情報だけではなく、外出ができない時間帯も設定できるので、被介護者にも看護者にも負担の少ない看護業務が可能となる。
【００１４】
さらに本発明のナースコールシステムの第３の形態では、被介護者が外出して所定時間経過しても病室に戻らなかった場合にナースコール親機に警報が送信されその旨が表示、報知されるので、看護者が効率よく被介護者の状況を把握することができる。
【００１５】
また本発明のナースコールシステムの第４の形態では、新たに外出禁止時間帯情報の設定を親機操作部により操作する時に確認しながら簡便に行うことができる。
【００１６】
さらに本発明のナースコールシステムの第５の形態では、新たに外出禁止遅延時間情報の設定を親機操作部により操作する時に確認しながら簡便に行うことができる。
【発明を実施するための最良の形態】
【００１７】
以下、本発明の好ましい実施の形態について図面を参照して詳述する。
【００１８】
図１は、本発明の一実施の形態によるナースコールシステムの構成を表す図である。
【００１９】
図１に示すように、本実施の形態におけるナースコールシステムは、患者固有のＩＤ情報が記録されている発信機であるＲＦＩＤ（Radio Frequency IDentification）タグ７と、例えばボタンを押したり、通話をすることにより患者からの呼び出し操作を行うナースコール子機６と、目的別にナースコール子機を複数接続するプレート子機５と、ナースコール子機６からの呼び出しを表示し、応答し、またＲＦＩＤ７に記録されているＩＤ情報を無線にて受信する廊下灯４と、患者固有のＩＤ情報を記憶し、廊下灯４から送られてくるＩＤ情報を照合する制御機３と、ナースコール子機６からの呼び出しを表示し、通話応答し、また制御機３に対して患者固有のＩＤ情報毎に外出禁止時間帯情報を設定する例えばＰＣナースのようなナースコール親機１とから構成されている。
【００２０】
制御機３とナースコール親機１とは通信ケーブルＬ１を介して接続され、廊下灯４と制御機３は通信ケーブルＬ２を介して接続され、プレート子機５と廊下灯４は通信ケーブルＬ３を介して接続されている。
【００２１】
図２は、図１のナースコール親機１の内部構成を表したブロック図であり、制御機３との通信を親機／制御機通信ＩＦ（Interface）１１を介して行い、親機／制御機通信ＩＦ１１は親機ＣＰＵ１０を介して液晶等による親機表示部１２、ボタン式あるいはタッチパネル式等の親機操作部１３及びスピーカ等の親機報知部１４と接続されている。
【００２２】
図３は、図１の制御機３の内部構成を表したブロック図であり、ナースコール親機１との通信をナースコール親機通信ＩＦ３１を介して行い、廊下灯４との通信を廊下灯通信ＩＦ３２を介して行うものであり、これらの各ＩＦは制御機ＣＰＵ３０を介して外出禁止警報情報記憶部３３、外出禁止時間帯情報記憶部３４及び外出禁止呼出遅延時間情報記憶部３５と接続されている。
【００２３】
ここで、外出禁止警報情報とは、患者が外出禁止である旨を患者自身あるいはナースセンターに報知するための情報であり、外出禁止時間帯情報とは、患者の外出禁止が特定の時間だけに制限されていることを報知するための情報である。また、外出禁止呼出遅延時間情報とは、患者が真に外出したかどうかを判定するために、所定時間として外出してから例えば１分間という時間を猶予時間として予め設定しておき、外出した患者がその所定時間内に病室に戻らなかった場合に、例えばナースコール親機に警報を報知するための情報である。
【００２４】
図４は、図１の廊下灯４の内部構成を表したブロック図であり、制御機３との通信を廊下灯／制御機通信ＩＦ４１を介して行い、ＲＦＩＤタグ７との無線通信をＩＤ情報受信部４２を介して行い、プレート子機５との通信をプレート子機通信ＩＦ４３を介して行うものであり、これらの各ＩＦは廊下灯ＣＰＵ４０を介して、例えば光の点灯等を用いた廊下灯報知部４４及び液晶等による廊下灯表示部４５と接続されている。
【００２５】
このように構成されたナースコールシステムにおいて、以下、その動作を説明する。
【００２６】
ＲＦＩＤタグ７を携帯している患者が病室から出ようとすると、病院の各病室の出入り口付近に備え付けられた廊下灯４のＩＤ情報受信部４２がＲＦＩＤタグ７に記憶されているＩＤ情報を無線受信する。
【００２７】
ＩＤ情報受信部４２がＩＤ情報を受信すると、廊下灯ＣＰＵ４０はＩＤ情報を廊下灯／制御機通信ＩＦ４１を介して通信ケーブルＬ２に伝送し、制御機３の制御機ＣＰＵ３０は通信ケーブルＬ２から廊下灯通信ＩＦ３２を介してＩＤ情報を受信する。
【００２８】
制御機ＣＰＵ３０は、外出禁止警報情報記憶部３３に予め登録されている患者の外出禁止警報情報と廊下灯４から受信したＩＤ情報を照合する。さらに、制御機ＣＰＵ３０は、外出禁止時間帯情報記憶部３４に予め登録されている患者の外出禁止時間帯情報と廊下灯４から受信したＩＤ情報を照合する。そして照合の結果、当該患者が外出禁止であり、かつ外出した時間が当該患者の外出禁止時間帯に一致した場合には、その一致信号が廊下灯通信ＩＦ３２から廊下灯４の廊下灯ＣＰＵ４０までＩＤ情報を取得した場合と逆の手順で伝送される。
【００２９】
一致信号を受信した廊下灯４の廊下灯ＣＰＵ４０は、廊下灯報知部４４により外出禁止である旨を患者に伝えるとともに廊下灯表示部４５に当該患者が外出禁止である旨を表示する。この場合に当該患者の外出禁止時間帯情報も併せて報知、表示するようにする。
【００３０】
なお、患者が外出しようとして病室を出た後に何らかの都合により短時間で病室に戻るような場合も想定されるが、極めて短時間で戻った場合には外出と判定せず、患者が真に外出したと判定するまでの猶予時間（例えば１分間程度）を所定時間として外出禁止呼出遅延時間情報記憶部３５に予め登録しておく。そして、患者が外出した際に制御機３の制御機ＣＰＵ３０は、外出禁止呼出遅延時間情報記憶部３５に予め登録されている患者の外出禁止呼出遅延時間情報と廊下灯４から受信したＩＤ情報を照合し、患者が外出禁止呼出遅延時間帯情報記憶部に登録されている患者であり、かつ当該患者が設定されている所定時間内に戻ってきていない患者であるとの情報が一致した場合には、当該患者は真に外出したと判定してその一致信号をナースコール親機通信ＩＦ３１を介して通信ケーブルＬ１に伝送する。
【００３１】
ナースコール親機１の親機ＣＰＵ１０は、通信ケーブルＬ１から親機／制御機通信ＩＦ１１を介して一致信号を受信する。親機ＣＰＵ１０は、親機報知部１４により外出禁止である患者が外出している旨を看護師に伝える。
【００３２】
さらに、制御機３の外出禁止時間帯情報記憶部３４に記憶されている外出禁止時間帯情報及び外出禁止呼出遅延時間情報記憶部３５に記憶されている外出禁止呼出遅延時間情報は、制御機ＣＰＵ３０からナースコール親機通信ＩＦ３１を介して通信ケーブルＬ１に伝送され、ナースコール親機１の親機ＣＰＵ１０は、親機／制御機通信ＩＦ１１を介して外出禁止時間帯情報及び外出禁止呼出遅延時間情報を受信し、親機表示部１２に表示する。
【００３３】
ところで、新たに外出禁止時間帯情報及び外出禁止呼出遅延時間情報を設定する場合には、親機操作部１３によりこれらの情報を改めて設定する。この新たに設定された外出禁止時間帯情報及び外出禁止呼出遅延時間情報は、これらの情報を報知あるいは表示した場合と逆の手順により制御機３の制御機ＣＰＵ３０に伝送され、新たに設定された外出禁止時間帯情報は外出禁止時間帯情報記憶部３４に、新たに設定された外出禁止呼出遅延時間情報は外出禁止呼出遅延時間情報記憶部３５に記憶される。
【００３４】
なお、廊下灯４のＩＤ情報受信部４２が、ＲＦＩＤタグ７に記憶されているＩＤ情報を無線受信したときに、ナースコール親機の親機報知部１４にも報知するようにしてもよい。
【図面の簡単な説明】
【００３５】
【図１】本発明のナースコールシステムの一実施の形態を表す構成図である。
【図２】本発明のナースコールシステムのナースコール親機の内部構成を表すブロック図である。
【図３】本発明のナースコールシステムの制御機の内部構成を表すブロック図である。
【図４】本発明のナースコールシステムの廊下灯の内部構成を表すブロック図である。
【符号の説明】
【００３６】
１            ナースコール親機
３            制御機
４            廊下灯
５            プレート子機
６            ナースコール子機
７            発信機（ＲＦＩＤタグ）
１０          親機ＣＰＵ
１２          親機表示部
１３          親機操作部
１４          親機報知部
３０          制御機ＣＰＵ
３３          外出禁止警報情報記憶部
３４          外出禁止時間帯情報記憶部
３５          外出禁止呼出遅延時間情報記憶部
４０          廊下灯ＣＰＵ
【図１】
2008183355.tif 000003
【図２】
2008183355.tif 000004
【図３】
2008183355.tif 000005
【図４】
2008183355.tif 000006